(57)【要約】【課題】放置自転車の管理を効率よく行えるようにする。【解決手段】回収された放置自転車に所定のＩＣタグが貼付されていないときにその回収された放置自転車にその所定のＩＣタグを貼付するとともに、その所定のＩＣタグに回収日時及び回収場所等の所定の回収情報を書込み、その回収された放置自転車に既に所定のＩＣタグが貼付されているときにその所定のＩＣタグにその所定の回収情報を書込むとともに、その貼付されている所定のＩＣタグから放置自転車の所有者を特定する所定の所有者情報を読取る回収時タグ処理手段と、前記回収された放置自転車を所有者に返却する際、前記所定のＩＣタグに所定の所有者情報が書込まれていないときに、その所有者を特定する所定の所有者情報をその回収された放置自転車に貼付されている所定のＩＣタグに書込む書込手段とを有する。【選択図】      図２
2004302830.tif 000002
【特許請求の範囲】
【請求項１】
回収された放置自転車に所定のＩＣタグが貼付されていないときにその回収された放置自転車にその所定のＩＣタグを貼付するとともに、その所定のＩＣタグに回収日時及び回収場所等の所定の回収情報を書込み、その回収された放置自転車に既に所定のＩＣタグが貼付されているときにその所定のＩＣタグにその所定の回収情報を書込むとともに、その貼付されている所定のＩＣタグからその回収された放置自転車の所有者を特定する所定の所有者情報を読取る回収時タグ処理手段と、
前記回収された放置自転車をその回収された放置自転車の所有者に返却する際、前記所定のＩＣタグに所定の所有者情報が書込まれていないときに、その所有者を特定する所定の所有者情報をその回収された放置自転車に貼付されている所定のＩＣタグに書込む書込手段と、
を有することを特徴とする放置自転車管理システム。
【請求項２】
請求項１に記載の放置自転車管理システムにおいて、所定のＩＣタグは、無線通信機能を備えた非接触式のＩＣタグからなることを特徴とする放置自転車管理システム。
【請求項３】
請求項２に記載の放置自転車管理システムにおいて、所定のＩＣタグは、回収された放置自転車の非金属部分に貼付されるものであることを特徴とする放置自転車管理システム。
【請求項４】
請求項１〜３のいずれかに記載の放置自転車管理システムにおいて、貼付されている所定のＩＣタグから回収された放置自転車の所有者を特定する所定の所有者情報が読取られたときに、その読取られた情報に基づいて自転車を回収した旨の所定の通知をその回収された放置自転車の所有者に行う通知手段を設けたことを特徴とする放置自転車管理システム。
【請求項５】
請求項１〜４のいずれかに記載の放置自転車管理システムにおいて、回収時に所定のＩＣタグを貼付した放置自転車の返却は、その所定のＩＣタグの費用の支払いが条件とされることを特徴とする放置自転車管理システム。
【発明の詳細な説明】
【０００１】
【発明の属する技術分野】
本発明は、駅周辺等の所定の駐輪禁止区域内に駐輪されている自転車、いわゆる放置自転車を効率よく管理できるようにした放置自転車管理システムに関する。
【０００２】
【従来の技術】
従来、駅周辺等の所定の駐輪禁止区域内に放置されている自転車は、地方公共団体等の所定の係員によって撤去（本発明の回収に相当している。）されて所定の場所に保管されるようになっている。そして、その撤去の際には、放置自転車毎に撤去日時や撤去場所等の所定の情報の記録された荷札状のタグが取付けられるようになっている。
【０００３】
所定の場所に保管されている放置自転車は、後に所有者が返却（返還）を求めてきたときは、タグをたよりに所有者の自転車を特定し、通常、所定の撤去費用等の料金（例えば３０００〜５０００円）を支払って自転車を受け取るようにしている。
【０００４】
【発明が解決しようとする課題】
しかしながら、従来の放置自転車管理システムは、タグへの情報の書込み等に多くの時間と労力を要するので、効率的にほうち自転車を管理できる放置自転車管理システムが望まれていた。特に、放置自転車数は膨大であり、しかも、放置自転車は繰り返して行われる傾向があるので、つまり自転車を放置する所有者はリピータが多いので、このようなリピータを効率的に管理することのできる放置自転車管理システムが望まれていた。
【０００５】
そこで、本発明は、上記要望に答えるためになされたものであって、その目的は、放置自転車を効率よく管理することのできる放置自転車管理システムを提供することにある。
【０００６】
【課題を解決するための手段】
本発明に係る放置自転車管理システムは、上記目的を達成するために、請求項１に記載の発明は、回収された放置自転車に所定のＩＣタグが貼付されていないときにその回収された放置自転車にその所定のＩＣタグを貼付するとともに、その所定のＩＣタグに回収日時及び回収場所等の所定の回収情報を書込み、その回収された放置自転車に既に所定のＩＣタグが貼付されているときにその所定のＩＣタグにその所定の回収情報を書込むとともに、その貼付されている所定のＩＣタグからその回収された放置自転車の所有者を特定する所定の所有者情報を読取る回収時タグ処理手段と、前記回収された放置自転車をその回収された放置自転車の所有者に返却する際、前記所定のＩＣタグに所定の所有者情報が書込まれていないときに、その所有者を特定する所定の所有者情報をその回収された放置自転車に貼付されている所定のＩＣタグに書込む書込手段と、を有することを特徴としている。
本発明の請求項２に記載の放置自転車管理システムは、所定のＩＣタグは、無線通信機能を備えた非接触式のＩＣタグからなることを特徴としている。
本発明の請求項３に記載の放置自転車管理システムは、所定のＩＣタグは、回収された放置自転車の非金属部分に貼付されるものであることを特徴としている。
本発明の請求項４に記載の放置自転車管理システムは、貼付されている所定のＩＣタグから回収された放置自転車の所有者を特定する所定の所有者情報が読取られたときに、その読取られた情報に基づいて自転車を回収した旨の所定の通知をその回収された放置自転車の所有者に行う通知手段を設けたことを特徴としている。
本発明の請求項５に記載の放置自転車管理システムは、回収時に所定のＩＣタグを貼付した放置自転車の返却は、その所定のＩＣタグの費用の支払いが条件とされることを特徴としている。
【０００７】
【発明の実施の形態】
以下、本発明の実施の形態を図面に基づいて説明する。図１は、一実施の形態に係る放置自転車管理システムの概略構成図である。図１中、１は、マイクロコンピュータを中心に形成された管理サーバであって、放置自転車を保管管理する事務室等の所定の場所に設置されている。
【０００８】
この管理サーバ１には、通信回線Ｌ１  を介してタグ発行機２及びプリンタ３がそれぞれ接続されている。タグ発行機２は、後述する非接触式のＩＣタグＴを発行できるように構成されている。また、プリンタ３は、放置自転車の管理情報等の所定の内容をプリントアウトできる以外に、放置自転車の所有者に対して放置自転車を管理しているので取りに来るようにとの案内の通知書（葉書又は手紙）をアウトプットできるように構成されている。
【０００９】
また、この管理サーバ１は、警察署等に設置されている外部装置とも通信回線Ｌ１  を介して接続されていて、盗難自転車等に係る情報を入力できるように構成されているとともに、回収した放置自転車に係る情報を必要に応じてその外部装置へ出力できるように構成されている。
【００１０】
図１中、４は、アンテナ４ａを備えたリーダライタであって、通信回線Ｌ２  を介して管理サーバ１に接続されている。このリーダライタ４は、回収された放置自転車イに貼付されている非接触式のＩＣタグＴとデータ授受が行えるように構成されている。
【００１１】
放置自転車イに貼付される非接触式のＩＣタグＴは、図１に拡大して示されるように、自転車の非金属部分であるサドルイ′の側面に接着剤により強固に貼付されている。ＩＣタグＴを非金属部分に貼付する理由は、アンテナ４ａを介した交信を良好に行うためであり、交信を良好に行えるように工夫されている非接触式のＩＣタグであれば自転車の金属部分に接着されてもよい。また、本発明でＩＣタグを貼付というときは、吊紐を用いて自転車に取付ける場合も含んでいる。
【００１２】
放置自転車イに貼付される非接触式のＩＣタグＴは、図１に拡大して示されるように、アンテナ１０と、演算処理するＣＰＵ１１と、所定の情報（ＣＰＵ１１用の演算プログラム、ＩＣタグＴの識別情報、放置自転車イの所有者を特定する情報…）を記憶する（書込む）メモリ１２と、アンテナ４ａから送出される電力波を受信してＩＣタグＴの駆動電源を生成する電力生成回路１３とが含まれている。なお、このＩＣタグＴは、現在、極めて安価に、例えば１枚１００円以下で入手することが可能である。
【００１３】
以下、図２のフローチャートを用いて制御動作について説明する。今、係員によって放置自転車イが回収されたとする（ステップ１００。以下、ステップを「Ｓ」とする。）。回収した放置自転車イにＩＣタグＴが貼付されていないときは、係員によってＩＣタグＴがその放置自転車イに貼付されて、所定の保管場所に保管される（Ｓ１０２否定、Ｓ１０４、Ｓ１０６）。この貼付されるＩＣタグＴは、予め回収日時及び回収場所等の所定の回収情報をメモリ１２に書込んだ状態でタグ発行機２から発行し、その発行されたＩＣタグＴは、係員が放置自転車イを回収する際に貼付される。また、ＩＣタグＴは、上述の所定の回収情報の書込まれていないＩＣタグＴをタグ発行機２から発行させ、そのＩＣタグＴを放置自転車イに貼付後、リーダライタ４を介してその貼付されたＩＣタグＴに上述の所定の回収情報を書込むようにしてもよい。
【００１４】
回収した放置自転車イに既にＩＣタグＴが貼付されているときは（Ｓ１０２肯定）、そのＩＣタグＴに記憶されているデータがリーダライタ４を介して読み取られた後、所定の場所に保管されるとともに、その読取られたデータを基に放置自転車イの所有者に送付するための通知書（葉書又は手紙）がプリンタ３でプリントアウトされて発送される（Ｓ１０５、Ｓ１０６）。なお、この放置自転車イの所有者への通知は、葉書や手紙の郵便物ではなく、その所有者の所持するパーソナルコンピュータ等の情報機器に電子メール等の所定の通信手段を介して行うようにしてもよい。
【００１５】
放置自転車イの保管者からの通知により、又は自主的に自転車の受取りの申出があったときは（Ｓ１０８否定、Ｓ１１０肯定）、リーダライタ４を介して返却しようとする放置自転車イに貼付されているＩＣタグＴのデータが読取られる（Ｓ１１２）。そして、その読取られたデータ中に自転車の所有者を特定するデータが書込まれていないとき、すなわち、その自転車が初めて放置自転車として回収されたときは（Ｓ１１４否定）、管理サーバ１から入力された所定の所有者情報がリーダライタ４を介してＩＣタグＴのメモリ１２に書込まれる（Ｓ１１６）。この所有者情報が書き込まれた後、ＩＣタグの費用及び所定の保管料を支払って、回収された放置自転車イは所有者に返却される（Ｓ１１８）。
【００１６】
また、返却の際、ＩＣタグＴから所定の所有者情報が読取られたときは（Ｓ１１４肯定）、その所有者は放置自転車のリピータであり、前にＩＣタグＴの費用を負担しているので、所定の保管料の支払いのみで回収された放置自転車イが所有者に返却される（Ｓ１１５）。
【００１７】
なお、上述の例では、自転車にＩＣタグが貼付される時期は、初回の放置自転車の回収時であるが、自転車の製造販売時に貼付されるようにしてもよい。この場合は、その製造販売時に所有者情報が書込まれる。また、リーダライタ４は、管理サーバ１に通信回線Ｌ２  を介して接続されたものとしたが、アンテナ４ａを備えたリーダライタ４を携帯型としてもよい。この場合は、ＩＣタグＴのデータ読取り，書込みを機動的に行うことができる。
【００１８】
【発明の効果】
本発明の請求項１の発明に係る放置自転車管理システムは、回収された放置自転車に所定のＩＣタグが貼付されていないときにその回収された放置自転車にその所定のＩＣタグを貼付するとともに、その所定のＩＣタグに回収日時及び回収場所等の所定の回収情報を書込み、その回収された放置自転車に既に所定のＩＣタグが貼付されているときにその所定のＩＣタグにその所定の回収情報を書込むとともに、その貼付されている所定のＩＣタグからその回収された放置自転車の所有者を特定する所定の所有者情報を読取る回収時タグ処理手段と、前記回収された放置自転車をその回収された放置自転車の所有者に返却する際、前記所定のＩＣタグに所定の所有者情報が書込まれていないときに、その所有者を特定する所定の所有者情報をその回収された放置自転車に貼付されている所定のＩＣタグに書込む書込手段とを有するので、効率よく放置自転車を管理することができる。
本発明の請求項２の発明に係る放置自転車管理システムは、所定のＩＣタグは、無線通信機能を備えた非接触式のＩＣタグからなるので、情報の読取り，書込みを容易に行うことができる。
本発明の請求項３の発明に係る放置自転車管理システムは、所定のＩＣタグは、回収された放置自転車の非金属部分に貼付されるので、ＩＣタグとの交信を良好に行うことができる。
本発明の請求項４の発明に係る放置自転車管理システムは、貼付されている所定のＩＣタグから回収された放置自転車の所有者を特定する所定の所有者情報が読取られたときに、その読取られた情報に基づいて自転車を回収した旨の所定の通知をその回収された放置自転車の所有者に行う通知手段を設けたので、放置自転車の引取り通知を効率よく行うことができる。
本発明の請求項５の発明に係る放置自転車管理システムは、回収時に所定のＩＣタグを貼付した放置自転車の返却は、その所定のＩＣタグの費用の支払いが条件とされるので、ＩＣタグの費用を効率よく回収することができる。
【図面の簡単な説明】
【図１】本発明の一実施の形態に係る放置自転車管理システムの概略構成図である。
【図２】制御動作を示すフローチャートである。
【符号の説明】
１  管理サーバ
２  タグ発行機
３  プリンタ
４  リーダライタ
４ａ  アンテナ
Ｔ  ＩＣタグ
イ  放置自転車
【図１】
2004302830.tif 000003
【図２】
2004302830.tif 000004